(57)【要約】【課題】無線基地局ｅＮＢ＃１０において「ｅＩＣＩＣ」に用いられるサブフレームを正確に把握する。【解決手段】本発明に係る移動通信システムにおいて、無線基地局ｅＮＢ＃１０は、無線基地局ｅＮＢ＃１によって「Ｌｏａｄ  Ｉｎｆｏｒｍａｔｉｏｎ」で通知されたＡＢＳとして設定されるべきサブフレームの中に、ＭＢＳＦＮサブフレームとして設定されているサブフレームが存在する場合、かかるＭＢＳＦＮサブフレームとして設定されているサブフレームが、「ｅＩＣＩＣ」に用いられていると看做すように構成されている。【選択図】図５
2012090122.tif 000002
【特許請求の範囲】
【請求項１】
第１無線基地局配下の第１セル内に第２無線基地局配下の第２セルが地理的に重畳して配置されている移動通信システムであって、
前記第１無線基地局は、第１サブフレームとして設定されているサブフレームでは、所定のＯＦＤＭシンボルにおいて第１セル用の参照信号を送信することができるように構成されており、
前記第１無線基地局は、第２サブフレームとして設定されているサブフレームでは、先頭のＯＦＤＭシンボルにおいてのみ第１セル用の参照信号を送信することができるように構成されており、
前記第２無線基地局は、前記第１無線基地局によって負荷情報で通知された前記第１サブフレームとして設定されるべきサブフレームの中に、前記第２サブフレームとして設定されているサブフレームが存在する場合、該第２サブフレームとして設定されているサブフレームが、セル間干渉調整に用いられていると看做すように構成されていることを特徴とする移動通信システム。
【請求項２】
前記第２無線基地局は、前記２サブフレームとして設定されているサブフレームの中に、前記第１無線基地局によって負荷情報で通知された前記第１サブフレームとして設定されるべきサブフレームと時間的に重ならないサブフレームが存在する場合、該第１サブフレームとして設定されるべきサブフレームと時間的に重ならないサブフレームにおいて、ＭＢＭＳ用データが送信されていると看做すように構成されていることを特徴とする請求項１に記載の移動通信システム。
【請求項３】
前記第２無線基地局は、前記第１無線基地局によって負荷情報で通知された前記第１サブフレームとして設定されるべきサブフレームが、前記第２サブフレームとして設定されていない場合、該サブフレームが、セル間干渉調整に用いられていると看做すように構成されていることを特徴とする請求項１又は２に記載の移動通信システム。
【請求項４】
前記第１無線基地局は、前記第２サブフレームとして設定されているサブフレームのうち、ＭＢＭＳ用データが送信されているサブフレームを、前記第１サブフレームとして設定されるべきサブフレームとしないように構成されていることを特徴とする請求項１乃至３のいずれか一項に記載の移動通信システム。
【請求項５】
第１無線基地局配下の第１セル内に第２無線基地局配下の第２セルが地理的に重畳して配置されている移動通信システムにおいて該第２無線基地局として機能することができる無線基地局であって、
前記第１無線基地局によって負荷情報で通知された第１サブフレームとして設定されるべきサブフレームの中に、第２サブフレームとして設定されているサブフレームが存在する場合、該第２サブフレームとして設定されているサブフレームが、セル間干渉調整に用いられていると看做すように構成されており、
前記第１無線基地局は、前記第１サブフレームとして設定されているサブフレームでは、所定のＯＦＤＭシンボルにおいて第１セル用の参照信号を送信することができるように構成されており、
前記第１無線基地局は、前記第２サブフレームとして設定されているサブフレームでは、先頭のＯＦＤＭシンボルにおいてのみ第１セル用の参照信号を送信することができるように構成されていることを特徴とする無線基地局。
【請求項６】
前記２サブフレームとして設定されているサブフレームの中に、前記第１無線基地局によって負荷情報で通知された前記第１サブフレームとして設定されるべきサブフレームと時間的に重ならないサブフレームが存在する場合、該第１サブフレームとして設定されるべきサブフレームと時間的に重ならないサブフレームにおいて、ＭＢＭＳ用データが送信されていると看做すように構成されていることを特徴とする請求項５に記載の無線基地局。
【請求項７】
前記第１無線基地局によって負荷情報で通知された前記第１サブフレームとして設定されるべきサブフレームが、前記第２サブフレームとして設定されていない場合、該サブフレームが、セル間干渉調整に用いられていると看做すように構成されていることを特徴とする請求項５又は６に記載の無線基地局。
【発明の詳細な説明】
【技術分野】
【０００１】
本発明は、移動通信システム及び無線基地局に関する。
【背景技術】
【０００２】
ＬＴＥ（Ｌｏｎｇ  Ｔｅｒｍ  Ｅｖｏｌｕｔｉｏｎ）方式において、セル間の干渉を低減するために、「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ、セル間干渉調整）」を用いることが検討されている。
【０００３】
ここで、「ｅＩＣＩＣ」の制御法の一種である「Ｔｉｍｅ  ｄｏｍａｉｎ  ｒｅｓｏｕｒｃｅ  ｐａｒｔｉｔｉｏｎｉｎｇ」では、セル間の干渉を低減するために、ＡＢＳ（Ａｌｍｏｓｔ  Ｂｌａｎｋ  Ｓｕｂｆｒａｍｅ）だけでなく、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームを用いることができるように構成されている。
【０００４】
具体的には、無線基地局ｅＮＢ＃１配下のセル＃１（例えば、Ｍａｃｒｏセル）内に無線基地局ｅＮＢ＃１０配下のセル＃１０（例えば、ＰｉｃｏセルやＦｅｍｔｏセル）が地理的に重畳して配置されている移動通信システムにおいて、「Ｔｉｍｅ  ｄｏｍａｉｎ  ｒｅｓｏｕｒｃｅ  ｐａｒｔｉｔｉｏｎｉｎｇ」が適用されている場合、セル＃１においてＡＢＳ及びＭＢＳＦＮサブフレームを設定することによって、セル＃１からセル＃１０に対する干渉を低減することができるように構成されている。
【先行技術文献】
【非特許文献】
【０００５】
【非特許文献１】３ＧＰＰ寄書  Ｒ１-１０５７７９
【非特許文献２】３ＧＰＰ  ＴＳ３６.４２３
【非特許文献３】３ＧＰＰ  ＴＳ３６.３００
【非特許文献４】３ＧＰＰ  ＴＳ３６.２１１
【非特許文献５】３ＧＰＰ  ＴＳ３６.３０５
【発明の概要】
【発明が解決しようとする課題】
【０００６】
しかしながら、従来のＬＴＥ方式では、ＭＢＳＦＮサブフレームとして設定されているサブフレームは、「ｅＩＣＩＣ」に用いられる場合もあれば、無線基地局ｅＮＢ＃１からのＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）用データを送信する場合や、「ＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）」による移動局位置測位に用いるＰｏｓｉｔｉｏｎｉｎｇ  Ｒｅｆｅｒｅｎｃｅ  Ｓｉｇｎａｌを送信する場合や、Ｅｎｅｒｇｙ  Ｓａｖｉｎｇに用いられる場合もあるため、無線基地局ｅＮＢ＃１０は、ＭＢＳＦＮサブフレームとして設定されているサブフレームのうち、「ｅＩＣＩＣ」に用いられるサブフレームを把握することができないという問題点があった。
【０００７】
そこで、本発明は、上述の課題に鑑みてなされたものであり、無線基地局ｅＮＢ＃１０において「ｅＩＣＩＣ」に用いられるサブフレームを正確に把握することができる移動通信システム及び無線基地局を提供することを目的とする。
【課題を解決するための手段】
【０００８】
本発明の第１の特徴は、第１無線基地局配下の第１セル内に第２無線基地局配下の第２セルが地理的に重畳して配置されている移動通信システムであって、前記第１無線基地局は、第１サブフレームとして設定されているサブフレームでは、所定のＯＦＤＭシンボルにおいて第１セル用の参照信号を送信することができるように構成されており、前記第１無線基地局は、第２サブフレームとして設定されているサブフレームでは、先頭のＯＦＤＭシンボルにおいてのみ第１セル用の参照信号を送信することができるように構成されており、前記第２無線基地局は、前記第１無線基地局によって負荷情報で通知された前記第１サブフレームとして設定されるべきサブフレームの中に、前記第２サブフレームとして設定されているサブフレームが存在する場合、該第２サブフレームとして設定されているサブフレームが、セル間干渉調整に用いられていると看做すように構成されていることを要旨とする。
【０００９】
本発明の第２の特徴は、第１無線基地局配下の第１セル内に第２無線基地局配下の第２セルが地理的に重畳して配置されている移動通信システムにおいて該第２無線基地局として機能することができる無線基地局であって、前記第１無線基地局によって負荷情報で通知された第１サブフレームとして設定されるべきサブフレームの中に、第２サブフレームとして設定されているサブフレームが存在する場合、該第２サブフレームとして設定されているサブフレームが、セル間干渉調整に用いられていると看做すように構成されており、前記第１無線基地局は、前記第１サブフレームとして設定されているサブフレームでは、所定のＯＦＤＭシンボルにおいて第１セル用の参照信号を送信することができるように構成されており、前記第１無線基地局は、前記第２サブフレームとして設定されているサブフレームでは、先頭のＯＦＤＭシンボルにおいてのみ第１セル用の参照信号を送信することができるように構成されていることを要旨とする。
【発明の効果】
【００１０】
以上説明したように、本発明によれば、無線基地局ｅＮＢ＃１０において「ｅＩＣＩＣ」に用いられるサブフレームを正確に把握することができる移動通信システム及び無線基地局を提供することができる。
【図面の簡単な説明】
【００１１】
【図１】本発明の第１の実施形態に係る移動通信システムの全体構成図である。
【図２】本発明の第１の実施形態に係る無線基地局ｅＮＢ＃１の機能ブロック図である。
【図３】本発明の第１の実施形態に係る無線基地局ｅＮＢ＃１０の機能ブロック図である。
【図４】本発明の第１の実施形態に係る無線基地局ｅＮＢ＃１０の動作を説明するための図である。
【図５】本発明の第１の実施形態に係る無線基地局ｅＮＢ＃１０の動作を説明するための図である。
【図６】本発明の第１の実施形態に係る無線基地局ｅＮＢ＃１０の動作を説明するための図である。
【図７】本発明の第１の実施形態に係る無線基地局ｅＮＢ＃１０の動作を説明するための図である。
【図８】本発明の第１の実施形態に係る無線基地局ｅＮＢ＃１０の動作を説明するための図である。
【図９】本発明の第１の実施形態に係る移動通信システムの動作を説明するための図である。
【発明を実施するための形態】
【００１２】
（本発明の第１の実施形態に係る移動通信システム）
図１乃至図９を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１３】
図１に示すように、本実施形態に係る移動通信システムは、セル＃１を管理する無線基地局ｅＮＢ＃１と、セル＃１０を管理する無線基地局ｅＮＢ＃１０とを具備している。
【００１４】
例えば、セル＃１は、Ｍａｃｒｏセルであり、セル＃１０は、ＣＳＧセルやＦｅｍｔｏセルやＭｉｃｒｏセルやＰｉｃｏセル等である。
【００１５】
また、本実施形態に係る移動通信システムでは、図１に示すように、無線基地局ｅＮＢ＃１配下のセル＃１内に無線基地局ｅＮＢ＃１０配下のセル＃１０が地理的に重畳して配置されている。
【００１６】
また、本実施形態に係る移動通信システムでは、セル＃１からセル＃１０への干渉を低減するために、「ｅＩＣＩＣ」の一種である「Ｔｉｍｅ  ｄｏｍａｉｎ  ｒｅｓｏｕｒｃｅ  ｐａｒｔｉｔｉｏｎｉｎｇ」を適用することができるように構成されている。
【００１７】
図２に示すように、無線基地局ｅＮＢ＃１は、設定部１１と、送信部１２とを具備している。
【００１８】
設定部１１は、「ｅＩＣＩＣ」に用いるべきサブフレーム（ＡＢＳ又はＭＢＳＦＮサブフレーム）を決定するように構成されている。
【００１９】
ここで、無線基地局ｅＮＢ＃１は、ＡＢＳとして設定されているサブフレームでは、所定のＯＦＤＭシンボルにおいて、ＰＤＳＣＨデータを送信することができず、ＣＲＳ（Ｃｅｌｌ  Ｒｅｆｅｒｅｎｃｅ  Ｓｉｇｎａｌ、第１セル用の参照信号）等の制御信号を送信することができるように構成されている。
【００２０】
また、無線基地局ｅＮＢ＃１は、「ｅＩＣＩＣ」に用いられるＭＢＳＦＮサブフレームとして設定されているサブフレームでは、先頭のＯＦＤＭシンボルにおいてのみＣＲＳを送信することができるように構成されている。
【００２１】
すなわち、無線基地局ｅＮＢ＃１は、「ｅＩＣＩＣ」に用いられるＭＢＳＦＮサブフレームとして設定されているサブフレームでは、全てのＯＦＤＭシンボルにおいてＰＤＳＣＨデータを送信せず、先頭のＯＦＤＭシンボル以外のＯＦＤＭシンボルにおいてＣＲＳ等の制御信号を送信しないように構成されている。
【００２２】
一方、無線基地局ｅＮＢ＃１は、「ｅＩＣＩＣ」に用いられない通常のＭＢＳＦＮサブフレームとして設定されているサブフレームでは、ＭＢＭＳ用データを送信することができるように構成されている。
【００２３】
設定部１１は、ＡＢＳとして設定されるべきサブフレーム及びＭＢＳＦＮサブフレームとして設定されるべきサブフレームを、時間的に重なるように設定してもよい。
【００２４】
なお、設定部１１は、ＭＢＳＦＮサブフレームとして設定されているサブフレームのうち、ＭＢＭＳ用データが送信されているサブフレームを、ＡＢＳとして設定されるべきサブフレームとしないように構成されていてもよい。
【００２５】
送信部１２は、無線基地局ｅＮＢ＃１０に対して、ＡＢＳ又はＭＢＳＦＮサブフレームとして設定されるべきサブフレームに係る情報（ＡＢＳのパターン又はＭＢＳＦＮサブフレームのパターン）を通知するように構成されている。
【００２６】
例えば、送信部１２は、無線基地局ｅＮＢ＃１０に対して送信される「（Ｘ２）ｅＮＢ  Ｃｏｎｆｉｇｕｒａｔｉｏｎ  Ｕｐｄａｔｅ」や「Ｘ２  Ｓｅｔｕｐ  Ｒｅｑｕｅｓｔ」によって、ＭＢＳＦＮサブフレームとして設定されるべきサブフレームに係る情報（ＭＢＳＦＮサブフレームのパターン）を通知するように構成されている。
【００２７】
なお、送信部１２は、無線基地局ｅＮＢ＃１０に対して送信される「Ｘ２  Ｓｅｔｕｐ  Ｒｅｑｕｅｓｔ」によって、ＭＢＳＦＮサブフレームとして設定されるべきサブフレームに係る情報（ＭＢＳＦＮサブフレームのパターン）を通知するように構成されていてもよい。
【００２８】
また、送信部１２は、無線基地局ｅＮＢ＃１０に対して送信される「Ｌｏａｄ  Ｉｎｆｏｒｍａｔｉｏｎ」によって、ＡＢＳとして設定されるべきサブフレームに係る情報（ＡＢＳのパターン）を通知するように構成されている。
【００２９】
図３に示すように、無線基地局ｅＮＢ＃１０は、受信部２１と、設定部２２とを具備している。
【００３０】
受信部２１は、無線基地局ｅＮＢ＃１から、ＡＢＳ又はＭＢＳＦＮサブフレームとして設定されるべきサブフレームに係る情報（ＡＢＳのパターン又はＭＢＳＦＮサブフレームのパターン）を受信するように構成されている。
【００３１】
例えば、受信部２１は、無線基地局ｅＮＢ＃１によって送信された「（Ｘ２）ｅＮＢ  Ｃｏｎｆｉｇｕｒａｔｉｏｎ  Ｕｐｄａｔｅ」や「Ｘ２  Ｓｅｔｕｐ  Ｒｅｑｕｅｓｔ」を介して、ＭＢＳＦＮサブフレームとして設定されるべきサブフレームに係る情報（ＭＢＳＦＮサブフレームのパターン）を受信するように構成されている。
【００３２】
なお、受信部２１は、無線基地局ｅＮＢ＃１によって送信された「Ｘ２  Ｓｅｔｕｐ  Ｒｅｓｐｏｎｓｅ」を介して、ＭＢＳＦＮサブフレームとして設定されるべきサブフレームに係る情報（ＭＢＳＦＮサブフレームのパターン）を受信するように構成されていてもよい。
【００３３】
また、受信部２１は、無線基地局ｅＮＢ＃１によって送信された「Ｌｏａｄ  Ｉｎｆｏｒｍａｔｉｏｎ」を介して、ＡＢＳとして設定されるべきサブフレームに係る情報（ＡＢＳのパターン）を受信するように構成されている。
【００３４】
設定部２２は、「ｅＩＣＩＣ」に用いられているサブフレームを検出するように構成されている。
【００３５】
具体的には、設定部２２は、図４及び図５に示すように、無線基地局ｅＮＢ＃１によって「Ｌｏａｄ  Ｉｎｆｏｒｍａｔｉｏｎ」で通知されたＡＢＳとして設定されるべき１つ又は複数のサブフレームが、ＭＢＳＦＮサブフレームとして設定されていない場合、かかるサブフレームが、「ｅＩＣＩＣ」に用いられていると看做すように構成されていてもよい。
【００３６】
例えば、図４に示すように、設定部２２は、受信部２１によって無線基地局ｅＮＢ＃１０によって送信された「Ｌｏａｄ  Ｉｎｆｏｒｍａｔｉｏｎ」が受信された時点で、ＭＢＳＦＮサブフレームとして設定されているサブフレームが存在しないと判断した場合、例えば、無線基地局ｅＮＢ＃１０によってＭＢＳＦＮサブフレームのパターンが通知されていないと判断した場合には、かかる「Ｌｏａｄ  Ｉｎｆｏｒｍａｔｉｏｎ」で通知されたＡＢＳとして設定されるべき１つ又は複数のサブフレーム（Ａ）が、「ｅＩＣＩＣ」に用いられていると看做すように構成されていてもよい。
【００３７】
かかる場合、設定部２２は、サブフレーム（Ａ）が、「ｅＩＣＩＣ」に用いられるＡＢＳとして設定されていると看做すように構成されている。
【００３８】
また、図５に示すように、設定部２２は、受信部２１によって無線基地局ｅＮＢ＃１０によって送信された「Ｌｏａｄ  Ｉｎｆｏｒｍａｔｉｏｎ」が受信された時点で、ＭＢＳＦＮサブフレームとして設定されているサブフレーム（Ｅ１）が存在すると判断した場合であっても、かかる「Ｌｏａｄ  Ｉｎｆｏｒｍａｔｉｏｎ」で通知されたＡＢＳとして設定されるべき１つ又は複数のサブフレーム（Ｅ２）とサブフレーム（Ｅ１）とが時間的に重なっていない場合には、サブフレーム（Ｅ２）が、「ｅＩＣＩＣ」に用いられていると看做し、サブフレーム（Ｅ１）において、ＭＢＭＳ用データが送信されていると看做すように構成されていてもよい。
【００３９】
かかる場合、設定部２２は、サブフレーム（Ｅ２）が、「ｅＩＣＩＣ」に用いられるＡＢＳとして設定されていると看做し、サブフレーム（Ｅ１）が、「ｅＩＣＩＣ」に用いられない通常のＭＢＳＦＮサブフレームとして設定されていると看做すように構成されている。
【００４０】
また、設定部２２は、図６乃至図８に示すように、無線基地局ｅＮＢ＃１によって「Ｌｏａｄ  Ｉｎｆｏｒｍａｔｉｏｎ」で通知されたＡＢＳとして設定されるべきサブフレームの中に、ＭＢＳＦＮサブフレームとして設定されているサブフレームが存在する場合、かかるＭＢＳＦＮサブフレームとして設定されているサブフレームが、「ｅＩＣＩＣ」に用いられていると看做すように構成されていてもよい。
【００４１】
例えば、図６に示すように、設定部２２は、無線基地局ｅＮＢ＃１によって「Ｌｏａｄ  Ｉｎｆｏｒｍａｔｉｏｎ」で通知されたＡＢＳとして設定されるべきサブフレーム（Ｂ）とＭＢＳＦＮサブフレームとして設定されているサブフレーム（Ｂ）とが一致している場合、かかるサブフレーム（Ｂ）が、「ｅＩＣＩＣ」に用いられていると看做すように構成されていてもよい。
【００４２】
かかる場合、設定部２２は、サブフレーム（Ｂ）が、「ｅＩＣＩＣ」に用いられるＭＢＳＦＮサブフレームとして設定されていると看做すように構成されている。
【００４３】
また、図７に示すように、設定部２２は、ＭＢＳＦＮサブフレームとして設定されているサブフレーム（Ｃ１）及び（Ｃ２）の中に、無線基地局ｅＮＢ＃１によって「Ｌｏａｄ  Ｉｎｆｏｒｍａｔｉｏｎ」で通知されたＡＢＳとして設定されるべきサブフレーム（Ｃ１）が含まれている場合、かかるサブフレーム（Ｃ１）が、「ｅＩＣＩＣ」に用いられていると看做し、サブフレーム（Ｃ２）において、ＭＢＭＳ用データが送信されていると看做すように構成されていてもよい。
【００４４】
かかる場合、設定部２２は、サブフレーム（Ｃ１）が、「ｅＩＣＩＣ」に用いられるＭＢＳＦＮサブフレームとして設定されていると看做し、サブフレーム（Ｃ２）が、「ｅＩＣＩＣ」に用いられない通常のＭＢＳＦＮサブフレームとして設定されていると看做すように構成されている。
【００４５】
また、図８に示すように、設定部２２は、無線基地局ｅＮＢ＃１によって「Ｌｏａｄ  Ｉｎｆｏｒｍａｔｉｏｎ」で通知されたＡＢＳとして設定されるべきサブフレーム（Ｄ１）及び（Ｄ２）の中に、ＭＢＳＦＮサブフレームとして設定されているサブフレーム（Ｄ１）が含まれている場合、かかるサブフレーム（Ｄ１）及び（Ｄ２）が、「ｅＩＣＩＣ」に用いられていると看做すように構成されていてもよい。
【００４６】
かかる場合、設定部２２は、サブフレーム（Ｄ１）が、「ｅＩＣＩＣ」に用いられるＭＢＳＦＮサブフレームとして設定されていると看做し、サブフレーム（Ｄ２）が、「ｅＩＣＩＣ」に用いられるＡＢＳとして設定されていると看做すように構成されている。
【００４７】
以下、図９を参照して、本実施形態に係る移動通信システムの動作について説明する。
【００４８】
図９に示すように、ステップＳ１００１において、無線基地局ｅＮＢ＃１は、無線基地局ｅＮＢ＃１０に対して、ＭＢＳＦＮサブフレームとして設定されるべきサブフレームに係る情報（ＭＢＳＦＮサブフレームのパターン）を含む「（Ｘ２）ｅＮＢ  Ｃｏｎｆｉｇｕｒａｔｉｏｎ  Ｕｐｄａｔｅ」若しくは「Ｘ２  Ｓｅｔｕｐ  Ｒｅｑｕｅｓｔ」を送信する。
【００４９】
ステップＳ１００２において、無線基地局ｅＮＢ＃１０は、無線基地局ｅＮＢ＃１に対して、「（Ｘ２）ｅＮＢ  Ｃｏｎｆｉｇｕｒａｔｉｏｎ  Ｕｐｄａｔｅ  Ａｃｋｎｏｗｌｅｄｇｅｍｅｎｔ」若しくは「Ｘ２  Ｓｅｔｕｐ  Ｒｅｓｐｏｎｓｅ」を送信する。
【００５０】
ここで、無線基地局ｅＮＢ＃１０は、ＭＢＳＦＮサブフレームのパターンによって指定されているサブフレームを、ＭＢＳＦＮサブフレームとして設定する。なお、かかる時点では、無線基地局ｅＮＢ＃１０は、「ｅＩＣＩＣ」に用いられるＭＢＳＦＮサブフレームと「ｅＩＣＩＣ」に用いられないＭＢＳＦＮサブフレームとを区別することができない。
【００５１】
ステップＳ１００３において、無線基地局ｅＮＢ＃１は、無線基地局ｅＮＢ＃１０に対して、ＡＢＳとして設定されるべきサブフレームに係る情報（ＡＢＳのパターン）を含む「Ｌｏａｄ  Ｉｎｆｏｒｍａｔｉｏｎ」を送信する。
【００５２】
ステップＳ１００４において、無線基地局ｅＮＢ＃１０は、ＡＢＳのパターンによって指定されているサブフレームを、ＡＢＳとして設定し、上述の図４乃至図８に示すように、「ｅＩＣＩＣ」に用いられているサブフレームを検出する。
【００５３】
本実施形態に係る移動通信システムによれば、無線基地局ｅＮＢ＃１０は、ＭＢＳＦＮサブフレームとして設定されているサブフレーム、及び、無線基地局ｅＮＢ＃１によって「Ｌｏａｄ  Ｉｎｆｏｒｍａｔｉｏｎ」で通知されたＡＢＳとして設定されるべきサブフレームの関係に基づいて、「ｅＩＣＩＣ」に用いられているサブフレームを検出することができる。
【００５４】
以上に述べた本実施形態の特徴は、以下のように表現されていてもよい。
【００５５】
本実施形態の第１の特徴は、無線基地局ｅＮＢ＃１（第１無線基地局）配下のセル＃１（第１セル）内に無線基地局ｅＮＢ＃１０（第２無線基地局）配下のセル＃１０（第２セル）が地理的に重畳して配置されている移動通信システムであって、無線基地局ｅＮＢ＃１は、ＡＢＳ（第１サブフレーム）として設定されているサブフレームでは、所定のＯＦＤＭシンボルにおいてＣＲＳ（第１セル用の参照信号）を送信することができるように構成されており、無線基地局ｅＮＢ＃１は、ＭＢＳＦＮサブフレーム（第２サブフレーム）として設定されているサブフレームでは、先頭のＯＦＤＭシンボルにおいてのみＣＲＳを送信することができるように構成されており、無線基地局ｅＮＢ＃１０は、無線基地局ｅＮＢ＃１によって「Ｌｏａｄ  Ｉｎｆｏｒｍａｔｉｏｎ（負荷情報）」で通知されたＡＢＳとして設定されるべきサブフレームの中に、ＭＢＳＦＮサブフレームとして設定されているサブフレームが存在する場合、かかるＭＢＳＦＮサブフレームとして設定されているサブフレームが、「ｅＩＣＩＣ（セル間干渉調整）」に用いられていると看做すように構成されていることを要旨とする。
【００５６】
本実施形態の第１の特徴において、無線基地局ｅＮＢ＃１０は、ＭＢＳＦＮサブフレームとして設定されているサブフレームの中に、無線基地局ｅＮＢ＃１によって「Ｌｏａｄ  Ｉｎｆｏｒｍａｔｉｏｎ」で通知されたＡＢＳとして設定されるべきサブフレームと時間的に重ならないサブフレームが存在する場合、かかるＡＢＳとして設定されるべきサブフレームと時間的に重ならないサブフレームにおいて、ＭＢＭＳ用データが送信されていると看做すように構成されていてもよい。
【００５７】
本実施形態の第１の特徴において、無線基地局ｅＮＢ＃１０は、無線基地局ｅＮＢ＃１によって「Ｌｏａｄ  Ｉｎｆｏｒｍａｔｉｏｎ」で通知されたＡＢＳとして設定されるべきサブフレームが、ＭＢＳＦＮサブフレームとして設定されていない場合、かかるサブフレームが、「ｅＩＣＩＣ」に用いられていると看做すように構成されていてもよい。
【００５８】
本実施形態の第１の特徴において、無線基地局ｅＮＢ＃１は、ＭＢＳＦＮサブフレームとして設定されているサブフレームのうち、ＭＢＭＳ用データが送信されているサブフレームを、ＡＢＳとして設定されるべきサブフレームとしないように構成されていてもよい。
【００５９】
本実施形態の第２の特徴は、無線基地局ｅＮＢ＃１配下のセル＃１内に無線基地局ｅＮＢ＃１０配下のセル＃１０が地理的に重畳して配置されている移動通信システムにおいて無線基地局ｅＮＢ＃１０として機能することができる無線基地局ｅＮＢであって、無線基地局ｅＮＢ＃１によって「Ｌｏａｄ  Ｉｎｆｏｒｍａｔｉｏｎ」で通知されたＡＢＳとして設定されるべきサブフレームの中に、第２サブフレームとして設定されているサブフレームが存在する場合、ＭＢＳＦＮサブフレームとして設定されているサブフレームが、「ｅＩＣＩＣ」に用いられていると看做すように構成されており、無線基地局ｅＮＢ＃１は、ＡＢＳとして設定されているサブフレームでは、所定のＯＦＤＭシンボルにおいてＣＲＳを送信することができるように構成されており、無線基地局ｅＮＢ＃１は、ＭＢＳＦＮサブフレームとして設定されているサブフレームでは、先頭のＯＦＤＭシンボルにおいてのみＣＲＳを送信することができるように構成されていることを要旨とする。
【００６０】
本実施形態の第２の特徴において、ＭＢＳＦＮサブフレームとして設定されているサブフレームの中に、無線基地局ｅＮＢ＃１によって「Ｌｏａｄ  Ｉｎｆｏｒｍａｔｉｏｎ」で通知されたＡＢＳとして設定されるべきサブフレームと時間的に重ならないサブフレームが存在する場合、かかるＡＢＳとして設定されるべきサブフレームと時間的に重ならないサブフレームにおいて、ＭＢＭＳ用データが送信されていると看做すように構成されていてもよい。
【００６１】
本実施形態の第２の特徴において、無線基地局ｅＮＢ＃１によって「Ｌｏａｄ  Ｉｎｆｏｒｍａｔｉｏｎ」で通知されたＡＢＳとして設定されるべきサブフレームが、ＭＢＳＦＮサブフレームとして設定されていない場合、かかるサブフレームが、「ｅＩＣＩＣ」に用いられていると看做すように構成されていてもよい。
【００６２】
なお、上述の無線基地局ｅＮＢ＃１/＃１０の動作は、ハードウェアによって実施されてもよいし、プロセッサによって実行されるソフトウェアモジュールによって実施されてもよいし、両者の組み合わせによって実施されてもよい。
【００６３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃１/＃１０内に設けられていてもよい。また、かかる記憶媒体及びプロセッサは、ディスクリートコンポーネントとして無線基地局ｅＮＢ＃１/＃１０内に設けられていてもよい。
【００６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６６】
ｅＮＢ＃１、ｅＮＢ＃１０…無線基地局
１１、２２…設定部
１２…送信部
２１…受信部
【図１】
2012090122.tif 000003
【図２】
2012090122.tif 000004
【図３】
2012090122.tif 000005
【図４】
2012090122.tif 000006
【図５】
2012090122.tif 000007
【図６】
2012090122.tif 000008
【図７】
2012090122.tif 000009
【図８】
2012090122.tif 000010
【図９】
2012090122.tif 000011